(57)【要約】【課題】多様な情報に対して、適切なインデキシング処理を効率的に行うことのできる情報編集装置を提供する。【解決手段】デジタルデータを編集する情報編集装置５であって、再生装置２において編集対象デジタルデータ３１が再生されている間に、編集対象デジタルデータ３１に対応付けるべき付帯デジタルデータを生成する付帯デジタルデータ生成装置から前記付帯デジタルデータを取得する付帯デジタルデータ取得手段と、再生装置２から編集対象デジタルデータ３１を取得する編集対象デジタルデータ取得手段と、指示受付手段を介して編集者から受け付けた指示に基づいて生成されたイベント情報を、付帯デジタルデジタルデータ生成装置から取得するイベント情報取得手段と、イベント情報取得手段が取得した前記イベント情報に基づいて、付帯デジタルデータの所定の区間を、編集対象デジタルデータ３１の所定の区間に対応付ける情報編集手段とを備えた。【選択図】      図１
2004236237.tif 000002
【特許請求の範囲】
【請求項１】
音声データおよび動画データの少なくとも一方を含むデジタルデータを編集する情報編集装置であって、
再生装置において編集対象デジタルデータが再生されている間に、前記編集対象デジタルデータに対応付けるべき付帯デジタルデータを生成する付帯デジタルデータ生成装置から前記付帯デジタルデータを取得する付帯デジタルデータ取得手段と、
前記再生装置から前記編集対象デジタルデータを取得する編集対象デジタルデータ取得手段と、
指示受付手段を介して編集者から受け付けた指示に基づいて生成されたイベント情報を、前記付帯デジタルデジタルデータ生成装置から取得するイベント情報取得手段と、
前記イベント情報取得手段が取得した前記イベント情報に基づいて、前記付帯デジタルデータの所定の区間を、前記編集対象デジタルデータの所定の区間に対応付ける情報編集手段と
を備えたことを特徴とする情報編集装置。
【請求項２】
前記再生手段が前記編集対象デジタルデータを再生している日時を、前記編集対象デジタルデータに対応付けて記録する日時記録手段をさらに備え、
前記イベント情報生成手段は、前記指示受付手段が前記指示を受け付けた日時を含む前記イベント情報を生成し、
前記情報編集手段は、前記イベント情報に含まれる前記日時に基づいて、前記付帯デジタルデジタルデータの所定の区間を、前記編集対象デジタルデータの所定の区間に対応付けることを特徴とする請求項１に記載の情報編集装置。
【請求項３】
前記イベント情報生成手段は、前記編集対象デジタルデータの内容を示す内容属性をさらに含むイベント情報を生成し、
前記情報編集手段により編集された後の前記編集対象デジタルデータを前記内容記述属性に基づいて再編成する再編成手段をさらに備えたことを特徴とする請求項１または２に記載の情報編集装置。
【請求項４】
前記情報編集手段が編集した後の前記編集対象デジタルデータを保持する編集対象デジタルデータ保持手段をさらに備え、
前記再編成手段は、前記デジタルデータ保持手段に保持されている複数の前記編集対象デジタルデータを、前記内容記述属性に基づいて再編成することを特徴とする請求項３に記載の情報編集装置。
【請求項５】
音声データおよび動画データの少なくとも一方を含むデジタルデータを編集する情報編集システムであって、
編集対象デジタルデータを再生する再生手段と、
前記編集対象デジタルデータが再生されている間に、前記編集対象デジタルデータに対応付けるべき付帯デジタルデータを生成する付帯デジタルデータ生成手段と、
前記指示受付手段が受け付けた指示に基づいて、イベント情報を生成するイベント情報生成手段と、
前記イベント情報取得手段が取得した前記イベント情報に基づいて、前記付帯デジタルデータの所定の区間を、前記編集対象デジタルデータの所定の区間に対応付ける情報編集手段と
を備えたことを特徴とする情報編集システム。
【請求項６】
音声データおよび動画データの少なくとも一方を含むデジタルデータを編集する情報編集システムであって、
編集対象デジタルデータを再生する再生装置と、
前記再生装置において前記編集対象デジタルデータが再生されている間に、前記編集対象デジタルデータに対応付けるべき付帯デジタルデータを生成する付帯デジタルデータ生成手段と、
前記指示受付手段が受け付けた指示に基づいて、イベント情報を生成するイベント情報生成手段と
を有する付帯デジタルデータ生成装置と、
前記再生装置から前記編集対象デジタルデータを取得する編集対象デジタルデータ取得手段と、
前記付帯デジタルデータ生成装置から前記付帯デジタルデータを取得する付帯デジタルデータ取得手段と、
前記付帯デジタルデータ生成装置から前記イベント情報を取得するイベント情報取得手段と、
前記イベント情報取得手段が取得した前記イベント情報に基づいて、前記付帯デジタルデータ取得手段が取得した前記付帯デジタルデータの所定の区間を、前記編集対象デジタルデータ取得手段が取得した前記編集対象デジタルデータの所定の区間に対応付ける情報編集手段と
を備えたことを特徴とする情報編集システム。
【請求項７】
音声データおよび動画データの少なくとも一方を含むデジタルデータを編集する情報編集方法であって、
再生装置において編集対象デジタルデータが再生されている間に、前記編集対象デジタルデータに対応付けるべき付帯デジタルデータを生成する付帯デジタルデータ生成装置から前記付帯デジタルデータを取得する付帯デジタルデータ取得ステップと、
前記再生装置から前記編集対象デジタルデータを取得する編集対象デジタルデータ取得ステップと、
指示受付手段を介して編集者から受け付けた指示に基づいて生成されたイベント情報を、前記付帯デジタルデジタルデータ生成装置から取得するイベント情報取得ステップと、
前記イベント情報取得ステップにおいて取得した前記イベント情報に基づいて、前記付帯デジタルデータの所定の区間を、前記編集対象デジタルデータの所定の区間に対応付ける情報編集ステップと
を有することを特徴とする情報編集方法。
【請求項８】
音声データおよび動画データの少なくとも一方を含むデジタルデータを編集する情報編集方法であって、
編集対象デジタルデータを再生する再生ステップと、
前記編集対象デジタルデータが再生されている間に、前記編集対象デジタルデータに対応付けるべき付帯デジタルデータを生成する付帯デジタルデータ生成ステップと、
前記指示受付ステップにおいて受け付けた指示に基づいて、イベント情報を生成するイベント情報生成ステップと、
前記イベント情報取得ステップにおいて取得した前記イベント情報に基づいて、前記付帯デジタルデータの所定の区間を、前記編集対象デジタルデータの所定の区間に対応付ける情報編集ステップと
を有することを特徴とする情報編集方法。
【請求項９】
音声データおよび動画データの少なくとも一方を含むデジタルデータを編集する情報編集方法をコンピュータに実行させる情報編集プログラムであって、
再生装置において編集対象デジタルデータが再生されている間に、前記編集対象デジタルデータに対応付けるべき付帯デジタルデータを生成する付帯デジタルデータ生成装置から前記付帯デジタルデータを取得する付帯デジタルデータ取得ステップと、
前記再生装置から前記編集対象デジタルデータを取得する編集対象デジタルデータ取得ステップと、
指示受付手段を介して編集者から受け付けた指示に基づいて生成されたイベント情報を、前記付帯デジタルデジタルデータ生成装置から取得するイベント情報取得ステップと、
前記イベント情報取得手段が取得した前記イベント情報に基づいて、前記付帯デジタルデータの所定の区間を、前記編集対象デジタルデータの所定の区間に対応付ける情報編集ステップと
をコンピュータに実行させることを特徴とする情報編集プログラム。
【発明の詳細な説明】
【０００１】
【発明の属する技術分野】
この発明は、情報編集装置、情報編集システム、情報編集方法、および情報編集プログラムに関する。
【０００２】
【従来の技術】
映像情報に対しインデキシングを行なう場合、映像内容に関してどのようなイベントが発生したのか、映像内容に対してイベントに関する情報を付加する必要がある。この作業は、作業者が実際に撮影した映像をすべて見て映像の内容を把握し、シーンの切り替わり、話題の切り替わりを判断し、付加すべきイベントに関する情報を決めていくことにより行われている。このようなインデキシングを施された映像情報は、シーン単位での閲覧や、映像内容に付加した情報による検索を行なうことが可能となる。
【０００３】
このようなインデキシング技術としては、スライド等のドキュメントが表示されたタイミングに基づいて、当該ドキュメントに関連する映像を同期させるドキュメント処理方法が知られている。（例えば、特許文献１）。
【０００４】
【特許文献１】
特開２００２−２３２８５８号公報（第５−９頁）
【０００５】
【発明が解決しようとする課題】
上記の技術によれば、スライドの表示のタイミングに基づいて映像を編集しているため、編集対象が、スライドの内容に関連する情報に限定されてしまう。そこで、このように、スライドの内容に関連する情報のみならず、多様な情報を編集対象とすることのできる情報編集技術の提供が望まれている。
【０００６】
この発明は上記に鑑みてなされたもので、多様な情報に対して、適切なインデキシング処理を効率的に行うことのできる情報編集装置、情報編集システム、情報編集方法、および情報編集プログラムを得ることを目的とする。
【０００７】
【課題を解決するための手段】
上記目的を達成するため、請求項１にかかる発明は、音声データおよび動画データの少なくとも一方を含むデジタルデータを編集する情報編集装置であって、再生装置において編集対象デジタルデータが再生されている間に、前記編集対象デジタルデータに対応付けるべき付帯デジタルデータを生成する付帯デジタルデータを生成する付帯デジタルデータ生成装置から前記付帯デジタルデータを取得する付帯デジタルデータ取得手段と、前記再生装置から前記編集対象デジタルデータを取得する編集対象デジタルデータ取得手段と、指示受付手段を介して編集者から受け付けた指示に基づいて生成されたイベント情報を、前記付帯デジタルデジタルデータ生成装置から取得するイベント情報取得手段と、前記イベント情報取得手段が取得した前記イベント情報に基づいて、前記付帯デジタルデータの所定の区間を、前記編集対象デジタルデータの所定の区間に対応付ける情報編集手段とを備えたことを特徴とする。
【０００８】
この請求項１の発明によれば、編集者から受け付けた指示に基づいて生成されたイベント情報に基づいて、付帯デジタルデータの所定の区間を、編集対象デジタルデータの所定の区間に対応付けることができるので、編集者からの指示に基づいて適切な両データの適切な区間同士を対応付けることができる。また、イベント情報に基づいて自動的に編集対象デジタルデータを編集することができるので、処理効率を向上させることができる。
【０００９】
また、請求項２にかかる発明は、請求項１に記載の情報編集装置であって、前記再生手段が前記編集対象デジタルデータを再生している日時を、前記編集対象デジタルデータに対応付けて記録する日時記録手段をさらに備え、前記イベント情報生成手段は、前記指示受付手段が前記指示を受け付けた日時を含む前記イベント情報を生成し、前記情報編集手段は、前記イベント情報に含まれる前記日時に基づいて、前記付帯デジタルデジタルデータの所定の区間を、前記編集対象デジタルデータの所定の区間に対応付けることを特徴とする。
【００１０】
この請求項２の発明によれば、日時記録手段は、編集対象デジタルデータを再生している日時を、当該編集対象デジタルデータに対応付けて記録しているので、当該日時と、イベント情報に含まれる日時に基づいて編集対象デジタルデータと付帯デジタルデータとを同期させることができるので、適切な編集を行うことができる。
【００１１】
また、請求項３にかかる発明は、請求項１または２に記載の情報編集装置であって、前記イベント情報生成手段は、前記編集対象デジタルデータの内容を示す内容属性をさらに含むイベント情報を生成し、前記情報編集手段により編集された後の前記編集対象デジタルデータを前記内容記述属性に基づいて再編成する再編成手段をさらに備えたことを特徴とする。
【００１２】
この請求項３の発明によれば、イベント情報生成手段は、内容属性を含むイベント情報を生成するので、再編成手段は、この内容属性に基づいて、編集後の編集対象デジタルデータを、再編成することにより新たなデジタルデータを生成することができる。これにより、各利用者に適した情報のみを含むデジタルデータを利用者に提供することができる。
【００１３】
また、請求項４にかかる発明は、請求項３に記載の情報編集装置であって、前記情報編集手段が編集した後の前記編集対象デジタルデータを保持する編集対象デジタルデータ保持手段をさらに備え、前記再編成手段は、前記デジタルデータ保持手段に保持されている複数の前記編集対象デジタルデータを、前記内容記述属性に基づいて再編成することを特徴とする。
【００１４】
この請求項４の発明によれば、再編成手段は、複数のデジタルデータに含まれるデータを再編成して新たなデジタルデータを生成することができる。
【００１５】
また、請求項５にかかる発明は、音声データおよび動画データの少なくとも一方を含むデジタルデータを編集する情報編集システムであって、編集対象デジタルデータを再生する再生手段と、前記編集対象デジタルデータが再生されている間に、前記編集対象デジタルデータに対応付けるべき付帯デジタルデータを生成する付帯デジタルデータ生成手段と、前記指示受付手段が受け付けた指示に基づいて、イベント情報を生成するイベント情報生成手段と、前記イベント情報取得手段が取得した前記イベント情報に基づいて、前記付帯デジタルデータの所定の区間を、前記編集対象デジタルデータの所定の区間に対応付ける情報編集手段とを備えたことを特徴とする。
【００１６】
この請求項５の発明によれば、編集者から受け付けた指示に基づいて生成されたイベント情報に基づいて、付帯デジタルデータの所定の区間を、編集対象デジタルデータの所定の区間に対応付けることができるので、編集者からの指示に基づいて適切な両データの適切な区間同士を対応付けることができる。また、イベント情報に基づいて自動的に編集対象デジタルデータを編集することができるので、処理効率を向上させることができる。
【００１７】
また、請求項６にかかる発明は、音声データおよび動画データの少なくとも一方を含むデジタルデータを編集する情報編集システムであって、編集対象デジタルデータを再生する再生装置と、前記再生装置において前記編集対象デジタルデータが再生されている間に、前記編集対象デジタルデータに対応付けるべき付帯デジタルデータを生成する付帯デジタルデータ生成手段と、前記指示受付手段が受け付けた指示に基づいて、イベント情報を生成するイベント情報生成手段とを有する付帯デジタルデータ生成装置と、前記再生装置から前記編集対象デジタルデータを取得する編集対象デジタルデータ取得手段と、前記付帯デジタルデータ生成装置から前記付帯デジタルデータを取得する付帯デジタルデータ取得手段と、前記付帯デジタルデータ生成装置から前記イベント情報を取得するイベント情報取得手段と、前記イベント情報取得手段が取得した前記イベント情報に基づいて、前記付帯デジタルデータ取得手段が取得した前記付帯デジタルデータの所定の区間を、前記編集対象デジタルデータ取得手段が取得した前記編集対象デジタルデータの所定の区間に対応付ける情報編集手段とを備えたことを特徴とする。
【００１８】
この請求項６の発明によれば、編集者から受け付けた指示に基づいて生成されたイベント情報に基づいて、付帯デジタルデータの所定の区間を、編集対象デジタルデータの所定の区間に対応付けることができるので、編集者からの指示に基づいて適切な両データの適切な区間同士を対応付けることができる。また、イベント情報に基づいて自動的に編集対象デジタルデータを編集することができるので、処理効率を向上させることができる。
【００１９】
また、請求項７にかかる発明は、音声データおよび動画データの少なくとも一方を含むデジタルデータを編集する情報編集方法であって、再生装置において編集対象デジタルデータが再生されている間に、前記編集対象デジタルデータに対応付けるべき付帯デジタルデータを生成する付帯デジタルデータを生成する付帯デジタルデータ生成装置から前記付帯デジタルデータを取得する付帯デジタルデータ取得ステップと、前記再生装置から前記編集対象デジタルデータを取得する編集対象デジタルデータ取得ステップと、指示受付手段を介して編集者から受け付けた指示に基づいて生成されたイベント情報を、前記付帯デジタルデジタルデータ生成装置から取得するイベント情報取得ステップと、前記イベント情報取得ステップにおいて取得した前記イベント情報に基づいて、前記付帯デジタルデータの所定の区間を、前記編集対象デジタルデータの所定の区間に対応付ける情報編集ステップとを有することを特徴とする。
【００２０】
この請求項７の発明によれば、編集者から受け付けた指示に基づいて生成されたイベント情報に基づいて、付帯デジタルデータの所定の区間を、編集対象デジタルデータの所定の区間に対応付けることができるので、編集者からの指示に基づいて適切な両データの適切な区間同士を対応付けることができる。また、イベント情報に基づいて自動的に編集対象デジタルデータを編集することができるので、処理効率を向上させることができる。
【００２１】
また、請求項８にかかる発明は、音声データおよび動画データの少なくとも一方を含むデジタルデータを編集する情報編集方法であって、編集対象デジタルデータを再生する再生ステップと、前記編集対象デジタルデータが再生されている間に、前記編集対象デジタルデータに対応付けるべき付帯デジタルデータを生成する付帯デジタルデータ生成ステップと、前記指示受付ステップにおいて受け付けた指示に基づいて、イベント情報を生成するイベント情報生成ステップと、前記イベント情報取得ステップにおいて取得した前記イベント情報に基づいて、前記付帯デジタルデータの所定の区間を、前記編集対象デジタルデータの所定の区間に対応付ける情報編集ステップとを有することを特徴とする。
【００２２】
この請求項８の発明によれば、編集者から受け付けた指示に基づいて生成されたイベント情報に基づいて、付帯デジタルデータの所定の区間を、編集対象デジタルデータの所定の区間に対応付けることができるので、編集者からの指示に基づいて適切な両データの適切な区間同士を対応付けることができる。また、イベント情報に基づいて自動的に編集対象デジタルデータを編集することができるので、処理効率を向上させることができる。
【００２３】
また、請求項９にかかる発明は、音声データおよび動画データの少なくとも一方を含むデジタルデータを編集する情報編集方法をコンピュータに実行させる情報編集プログラムであって、再生装置において編集対象デジタルデータが再生されている間に、前記編集対象デジタルデータに対応付けるべき付帯デジタルデータを生成する付帯デジタルデータを生成する付帯デジタルデータ生成装置から前記付帯デジタルデータを取得する付帯デジタルデータ取得ステップと、前記再生装置から前記編集対象デジタルデータを取得する編集対象デジタルデータ取得ステップと、指示受付手段を介して編集者から受け付けた指示に基づいて生成されたイベント情報を，前記付帯デジタルデジタルデータ生成装置から取得するイベント情報取得ステップと、前記イベント情報取得手段が取得した前記イベント情報に基づいて、前記付帯デジタルデータの所定の区間を、前記編集対象デジタルデータの所定の区間に対応付ける情報編集ステップとをコンピュータに実行させることを特徴とする。
【００２４】
この請求項９の発明によれば、編集者から受け付けた指示に基づいて生成されたイベント情報に基づいて、付帯デジタルデータの所定の区間を、編集対象デジタルデータの所定の区間に対応付けることができるので、編集者からの指示に基づいて適切な両データの適切な区間同士を対応付けることができる。また、イベント情報に基づいて自動的に編集対象デジタルデータを編集することができるので、処理効率を向上させることができる。
【００２５】
【発明の実施の形態】
以下に添付図面を参照して、この発明にかかる情報編集装置、情報編集システム、情報編集方法、および情報編集プログラムの好適な実施の形態を詳細に説明する。
【００２６】
図１は、この発明の実施の形態である情報編集装置５を含む情報編集システム１の全体構成を示している。
【００２７】
情報編集システム１は、スポーツ映像３１を格納する再生装置２と、この再生装置２と接続し、スポーツ映像３１を投影するプロジェクター等の投影機３と、投影機３により投影された映像を表示する表示画面３０と、表示画面３０に表示された映像について解説者が解説している様子を音声と共に動画撮影する音声取り込み機能付きのＤＶカメラ４と、ＤＶカメラ４が取り込んだ音声を含む解説映像およびスポーツ映像３１を編集する情報編集装置５とを備えている。なお、ここで、スポーツ映像３１および解説映像は、それぞれ本発明の編集対象デジタルデータおよび付帯デジタルデータに相当する。
【００２８】
ＤＶカメラ４と情報編集装置５は、例えば、ＩＥＥＥ１３９４などのインターフェイスで接続されている。また、再生装置２と情報編集装置５は、ＩＥＥＥ８０２．１１ｂなどの通信インターフェイスで接続されている。無線通信環境がない場合は、通常のイーサネット（Ｒ）によるピア・ツー・ピア接続であってもよい。
【００２９】
再生装置２は、単にスポーツ映像３１を格納しており、投影機３と通信可能であればよく、例えば、映像の再生機能を備えたＰＣであってもよい。
【００３０】
編集者は、解説者がスポーツ映像３１を表示画面３０に表示させながらスポーツ映像３１について解説している様子を、ＤＶカメラ４を用いて撮影する。ここで、編集者とは、情報編集システム１を利用して動画を編集する者のことである。
【００３１】
撮影が終了すると、情報編集装置５は、再生装置２からスポーツ映像３１を取得し、さらに、ＤＶカメラ４から生成された解説映像を取得する。そして、情報編集装置５は、スポーツ映像３１を編集する。すなわち、スポーツ映像３１に解説映像を対応付けた情報ファイルを生成する。
【００３２】
図２は、本実施の形態にかかる情報編集システム１に特徴的な処理を行う情報編集装置５の情報編集部３５と、再生装置２のイベント処理部３２の機能構成を示すブロック図である。
【００３３】
イベント処理部３２は、スポーツ映像３１を再生装置２に出力する出力部５６と、再生装置２に接続されたキーボード２１やマウス１５からの入力により、プレゼンテーションに関するイベントを示すイベント情報を取得するイベントキャプチャ部３３と、イベントキャプチャ部３３が取得したイベント情報を記録するイベント記録部３４と、スポーツ映像３１を外部に出力する出力部５６と、イベント情報およびスポーツ映像３１を情報編集装置５に送信する送信部４４とを有している。
【００３４】
なお、イベント記録部３４は、出力部５６がスポーツ映像３１を外部に出力する場合に、出力している時刻を対応するスポーツ映像３１のフレームに対応付けて記録する。すなわち、本実施の形態にかかるイベント記録部３４は、本発明にかかる日時記録手段に相当する。
【００３５】
また、情報編集部３５は、送信部４４からイベント情報およびスポーツ映像３１を受け取る受信部３６と、受信部３６が受け取ったイベント情報を制御するイベント情報制御部３７と、イベント情報を記録するイベント記録部３８と、イベント記録部３８からイベント情報を取得し、イベント情報の内容を解釈するイベント解釈部４２と、受信部３６が受け取ったスポーツ映像３１をキャプチャするスポーツ映像キャプチャ部５２と、編集者又は解説者（以下「解説者等」と称す）からの指示を受け付ける指示受付部５４と、指示受付部５４からの指示に従い、イベント解釈部４２によって解釈されたイベント情報に基づいて、スポーツ映像３１および解説映像４８を編集し、情報ファイルを生成する情報ファイル生成部４３と、情報ファイル生成部４３が生成した情報ファイルを外部に出力する出力部５０と、ＤＶカメラ４が取り込んだ解説映像４８をキャプチャする解説映像キャプチャ部４０と、解説映像４８を管理する解説映像管理部４１と、ＤＶカメラ４を制御する撮影機器制御部３９とを有している。
【００３６】
ここで、イベントキャプチャ部３３、受信部３６、および解説映像キャプチャ部４０は、それぞれ本発明のイベント情報取得手段、編集対象デジタルデータ取得手段、および付帯デジタルデータ取得手段を構成する。
【００３７】
次に、図３を参照しつつ、スポーツ映像３１および解説映像４８について説明する。図３（Ａ）は、スポーツ映像３１を模式的に示している。スポーツ映像３１は、解説映像４８を撮影するときに表示画面３０に表示すべき映像であって、複数のフレーム３１０ａ，３１０ｂ，・・・を有している。各フレーム３１０ａ，３１０ｂ，・・・には、フレーム番号が付与されており、フレーム番号順に表示画面３０に表示される。
【００３８】
また、図３（Ｂ）は、スポーツ映像３１を表示画面３０に表示しているときに撮影した解説映像４８を模式的に示している。解説映像４８も同様に複数のフレーム４８０ａ，４８０ｂ，…を有しており、各フレーム４８０ａ，４８０ｂ，…には、それぞれフレーム番号が付与されている。なお解説映像４８には、各フレームが生成された日時が対応付けられている。なお、１フレームごとに日時が対応付けられている必要はなく、例えば１秒ごとに対応するフレームに日時が対応付けられていればよい。
【００３９】
通常、解説映像４８を撮影する間解説者または編集者は、以下の操作を行う。
１．再生装置２の起動
２．イベント情報生成・ソフトの起動
３．解説映像の撮影開始
４．解説映像の撮影終了
５．内容属性付与
６．区間調整指示
７．イベント情報生成・ソフトの終了
８．再生装置２の終了
以上の操作は、いずれもマウス１５またはキーボード２１における所定の操作に対応付けられている。例えば、再生装置２の表示画面３０に表示されたイベント情報生成・ソフトのアイコンをマウス１５によりクリックする操作は、イベント情報生成・ソフトの起動というイベントに対応付けられている。
【００４０】
イベント記録部３４は、このイベント情報のログを記録し、送信部４４は通信インターフェイスを介して情報編集部３５に送信する。
【００４１】
撮影機器制御部３９は、イベント情報に基づいてＤＶカメラ４を制御する。イベント記録部３８は、イベント処理部３２から受信したイベント情報のみならず、ＤＶカメラ４の制御のイベント情報も記録する。
【００４２】
例えば、イベント情報生成・ソフトの起動というイベントが発生したときは、このイベント情報をイベント記録部３８で記録する。さらに、撮影機器制御部３９により、ＤＶカメラ４からの解説映像の取り込みを開始する。イベント情報生成・ソフトが終了したときは、撮影機器制御部３９は、ＤＶカメラ４からの解説映像の取り込みを終了する。そして、イベント情報制御部３７は、イベント情報生成・ソフトの終了をイベントとするイベント情報をイベント記録部３８に記録する。
【００４３】
なお、本実施の形態においては、情報ファイル生成部４３は、ＳＭＩＬ（Ｓｙｎｃｈｒｏｎｉｚｅｄ  Ｍｕｌｔｉｍｅｄｉａ  Ｉｎｔｅｇｒａｔｉｏｎ  Ｌａｎｇｕａｇｅ）を利用して情報ファイルを生成する。ここで、ＳＭＩＬとは、動画、静止画、音声、音楽、文字など様々な形式のデータの再生を制御して同期させる言語のことであり、ＸＭＬで記述されている。ＳＭＩＬを用いることにより、表示画面における表示位置、表示させるタイミング、表示させる時間などを指定することができる。
【００４４】
このように、情報編集部３５は、ＤＶカメラ４から取り込んだ解説映像中のイベントのイベント情報を解説映像とともに管理することができる。
【００４５】
図４は、イベント情報リスト３４０のデータ構成を模式的に示している。イベント情報リスト３４０には、イベント情報３４１，３４２，３４３・・・が、各イベントの発生した順番に配列されている。イベント情報には、発生したイベントの種類およびイベントが発生した日時が含まれている。例えば、録画開始が指示されると、スポーツ映像３１と解説映像４８との同期をイベント種類とするイベント情報が記録される。同期を示すイベント情報によりスポーツ映像３１と解説映像４８との同期を取ることができる。
【００４６】
また、解説者等からの指示により、内容属性付与をイベント種類とするイベント情報が記録される。これは、スポーツ映像の所定の区間に対し内容属性を付与することを示している。例えば、指示受付部５４を介して、直前の区間に対してＡ選手、○○チームという内容属性を付与する指示を受け付けると、Ａ選手、○○チームという情報を内容属性とするイベント情報が生成され、イベント情報リスト３４０に追加される。さらに解説者等からの指示により、区間調整指示をイベント種類とするイベント情報が記録される。また、指示受付部５４を介して、スポーツ映像３１を複数の区間に分割する場合の区間の境界位置の指定を受け付けた場合には、所定の位置に区間境界を挿入する旨の区間調整指示をイベント種類とするイベント情報が記録される。
【００４７】
このように、イベント情報リスト３４０には、解説映像４８を撮影している間に生じた各種イベントが記録されている。従って、情報ファイル生成部４３は、このイベント情報を利用することによりスポーツ映像３１および解説映像４８から情報ファイルを生成することができる。
【００４８】
図５は、図２において説明した情報ファイル生成部４３の詳細な機能構成を示す機能ブロック図である。情報ファイル生成部４３は、区間決定部４３０と、同期部４３１と、情報ファイル保持部４３２と、情報ファイル再編成部４３３と、目次項目取得部４３５とを有する。
【００４９】
区間決定部４３０は、再生装置２から取得したイベント情報７００に基づいて、ＤＶカメラ４から取得した解説映像４８を複数の区間に分割する。具体的には、区間決定部４３０は、区間調整指示をイベント種類とするイベント情報を検索し、当該イベント情報に示される、区間境界挿入又区間境界削除の指示に従って区間境界を挿入又は削除する。なお、区間調整指示には、フレーム番号が指定されており、区間決定部４３０は、対応するフレームに区間境界を挿入し、又は対応するフレームから区間境界を削除する。
【００５０】
目次項目取得部４３５は、図２において説明した指示受付部５４を介して解説者等から各区間の目次項目を取得する。
【００５１】
同期部４３１は、イベント情報７００に基づいて、解説映像４８の各区間をスポーツ映像３１の所定の区間に対応付ける。同期部４３１は、さらに、目次項目取得部４３５から取得した目次項目をスポーツ映像３１の所定の区間に対応付ける。
【００５２】
情報ファイル保持部４３２は、同期部４３１によって解説映像４８および目次項目が対応付けられたスポーツ映像３１、すなわち情報ファイルを保持する。
【００５３】
情報ファイル再編成部４３３は、指示受付部５４からの指示に基づいて、情報ファイル保持部４３２に保持されている複数の情報ファイルに含まれる各区間毎の映像を抽出し、新たな情報ファイルを再編成し出力部５０に送る。
【００５４】
以下、図６を参照しつつ、情報編集システム１が情報ファイルを作成するときの情報編集処理について説明する。まず、イベント処理部３２は、再生装置２にスポーツ情報３１を出力する（ステップＳ１００）。このとき、イベントキャプチャ部３３は、スポーツ情報３１を出力した出力日時を、所定の時間間隔でスポーツ情報３１のうち、当該出力日時に出力されたフレームに対応付けて記録する（ステップＳ１０２）。
【００５５】
編集者は、表示画面３０に表示されているスポーツ映像３１を見ながら、解説者がスポーツ映像３１を解説している様子をＤＶカメラ４により撮影する（ステップＳ１０４）。なお、解説映像には、スポーツ映像３１が含まれている。
【００５６】
撮影が開始されると、解説映像キャプチャ部４０は、ＤＢカメラ４によって撮影された解説映像を取得する。さらに、受信部３６は、イベント処理部３２からイベント情報、およびスポーツ映像を取得する（ステップＳ１０６）。
【００５７】
次に、イベント解釈部４２はイベント種類等イベント情報の内容を解釈する（ステップＳ１１２）。そして、情報ファイル生成部４３は、イベント解釈部４２から受け取ったイベント情報に基づいて、スポーツ映像３１および解説映像４８を編集して情報ファイルを生成する（ステップＳ１１４）。
【００５８】
次に、図７を参照しつつ、図６で説明したステップＳ１１４における情報ファイル生成部４３の詳細な処理について説明する。
【００５９】
ます、区間決定部４３０は、スポーツ映像３１を複数の区間に分割し、かつ解説映像４８を複数の区間に分割する（ステップＳ２０２）。
【００６０】
具体的には、解説映像４８に対しては、区間調整指示をイベント種類とするイベント情報７００により指定されている位置を区間の境界位置とする各区間に分割する。また、スポーツ映像３１に対しては、指示受付部５４を介して利用者から受け付けた指示に従って複数の区間に分割する。なお、他の例としては、スポーツ映像３１の作成者が、スポーツ映像３１を予め複数の区間に分割している場合には、改めて区間に分割する処理は行わず、予め設定されている区間を利用してもよい。
【００６１】
次に、同期部４３１は、イベント情報７００に基づいて、解説映像４８の各区間をスポーツ映像３１の各区間に対応付ける（ステップＳ２０２）。具体的には、録画開始をイベントの種類とするイベント情報におけるイベント発生日時に対応する日時に再生されたフレームを含むスポーツ映像３１の区間に、当該イベント情報に示される録画開始時に録画が開始された解説映像４８の区間を対応付ける。
【００６２】
同期部４３１は、イベント情報に内容属性として記述されている内容を、イベント情報により定まるスポーツ映像３１の区間に対応付ける（ステップＳ２０６）。
【００６３】
次に、目次項目取得部４３５は、指示受付部５４を介して各区間に対応する目次項目を取得する（ステップＳ２０８）。次に、同期部４３１は、目次項目取得部４３５から目次項目を取得する。そして、取得した目次項目を、指定されたスポーツ映像３１の各区間に対応付ける（ステップＳ２１０）。ここで、目次項目を含む目次情報が生成される。そして、生成された目次情報は、対応するスポーツ映像３１の情報ファイルに含められる。以上で、ステップＳ１１４の処理が完了する。
【００６４】
図８は、図６および図７において説明した情報編集システム１の処理によって生成された情報ファイルを示している。
【００６５】
図８（Ａ）は、編集後のスポーツ映像３１を示している。また、図８（Ｂ）は、編集後の解説映像４８を示している。
【００６６】
編集後のスポーツ映像３１は、時間軸に沿って所定の長さの各区間に分割されており、それぞれ、区間１、区間２と、区間識別情報が割り当てられている。各区間には、対応する目次項目が対応付けられている。なお、図８に示すスポーツ映像３１は、いずれも目次項目「１回表」に対応付けられている。
【００６７】
また、各区間には、解説者等から指定された内容属性が対応付けられている。例えば、内容属性として、被写体となっている選手の名前、野球の試合であれば、攻撃中のチーム名などが対応付けられている。さらに、内容属性としては、ホームラン、三振、など各区間で生じたプレーの名称が対応付けられていてもよい。
【００６８】
スポーツ映像３１の各区間には、解説映像４８の区間が対応付けられている。図８に示す情報ファイルにおいては、スポーツ映像３１の区間１に解説映像４８の区間１が対応付けられている。また、スポーツ映像３１の区間２に解説映像４８の区間２が対応付けられている。
【００６９】
また、スポーツ映像３１の区間３には、解説映像４８が対応付けられておらず、スポーツ映像３１の区間４に、解説映像４８の区間３が対応付けられている。このように、スポーツ映像３１の全ての区間に解説映像４８が対応付けられていなくともよい。
【００７０】
本実施の形態においては、イベント情報に基づいて、スポーツ映像３１と解説映像４８の各区間を対応付けているので、各区間毎にスポーツ映像３１と解説映像４８との同期をとることができる。
【００７１】
また、スポーツ映像３１の区間の長さと、スポーツ映像３１の当該区間に対応付けられた解説映像４８の区間の長さとは一致している必要はない。例えば、スポーツ映像３１の区間１の長さが５分であって、当該区間１に対応付けられている解説映像４８の区間１の長さが２分であってもよい。このように、比較的自由に各区間同士を対応付けることができる。
【００７２】
図９は、出力部５０から出力された情報ファイルを示している。図９に示す表示部５００には、解説映像４８を表示するフレーム６００と、スポーツ映像３１を表示するフレーム３３０が含まれている。さらに、当該スポーツ映像３１に対応付けられた目次項目で構成される目次情報を表示する目次欄８００が含まれている。
【００７３】
なお、目次欄８００の各目次項目とスポーツ映像３１および解説映像４８とはリンクしており、例えば、目次欄８００中の「１回表」という目次項目が選択されると、そのとき表示されているスポーツ映像３１の区間にかかわらず、スポーツ映像３１の「１回表」に対応する区間、すなわち区間１が再生される。このように、目次項目を選択することにより、利用者の所望の区間を表示させることができる。
【００７４】
次に、図１０を参照しつつ、情報編集システム１が情報ファイルを再編成する処理について説明する。指示受付部５４を介して、利用者から情報ファイルの提供要求を取得すると（ステップＳ３００）、情報ファイル再編成部４３３は、取得した提供要求に内容属性指定情報が含まれているか否かを判断する（ステップＳ３０２）。すなわち、提供すべき情報に対して、内容属性に関する指定があるか否かを判断する。内容属性指定情報が含まれている場合には（ステップＳ３０２，Ｙｅｓ）、情報ファイル再編成部４３３は、内容属性指定情報が示す内容属性に対応付けられた区間の映像を、情報ファイル保持部４３２から抽出する（ステップＳ３０６）。このとき、情報ファイル保持部４３２に保持されているすべての情報ファイルから該当する区間を抽出する。
【００７５】
情報ファイル再編成部４３３は、内容属性情報に基づいてすべての区間の映像を抽出すると、抽出した全ての区間の映像から新たな情報ファイルを生成する。このとき、各区間の映像を、当該映像に対応付けられた出力日時の順番に編成する。
【００７６】
なお、他の例としては、指示受付部５４を介して取得したファイルの提供要求に、編集の際の順番が指示されている場合には、当該指示に従って編成してもよい。
【００７７】
情報ファイルの再編成が完了すると、情報ファイル再編成部４３３は、再編成後の情報ファイルを出力部５０に送る。そして、出力部５０は、再編成後の情報ファイルを出力する。具体的には、出力部５０は、記録媒体のドライバであって、当該ドライバに着脱可能に装着された記録媒体に情報ファイルを書き込んでもよい。この場合、利用者は、当該記録媒体として情報ファイルを取得することができる。なお、他の例としては、出力部５０は、例えばネットワークを介して通信可能な通信手段であってもよい。この場合、出力部５０は、ネットワークを介して利用者端末に情報ファイルを送信してもよい。このように、情報ファイルを利用者に提供する形態は、本実施の形態に限定されるものではない。
【００７８】
一方、情報ファイルの提供要求に内容属性指定情報が含まれていない場合には、情報ファイル再編成部４３３は、情報ファイルの提供要求から、情報ファイル指定情報を抽出する（ステップＳ３１０）。次に、情報ファイル指定情報において指定されている情報ファイルを、情報ファイル保持部４３２から抽出する（ステップＳ３１２）。そして、情報ファイル再編成部４３３は、抽出した情報ファイルを出力部５０に送る（ステップＳ３０８）。以上で、情報ファイルの再編成処理が完了する。
【００７９】
図１１を参照しつつ、情報ファイル再編成処理によって作成された情報ファイルの構成について説明する。図１１（Ａ）は、再編成前の情報ファイルを示している。図１１（Ｂ）および（Ｃ）は、再編成後の情報ファイルを示している。図１１（Ｂ）は、内容属性に「○○チーム」を含む区間を抽出する旨を指示する内容属性指定情報に基づいて再編成された情報ファイルを示している。このように、内容属性指定情報に指定された区間のみが抽出される。そして、抽出された各区間に対応付けられた出力日時の順番に再編成されて、新たな情報ファイルが生成される。
【００８０】
具体的には、図１１（Ｂ）に示す情報ファイルにおいては、○○チーム以外のチーム名が内容属性として対応付けられている区間２は、抽出されない。そして、区間１と区間３とが結合されている。
【００８１】
また、図１１（Ｃ）は、内容属性に「ホームラン」を含む区間を抽出する旨を示す内容属性指定情報に基づいて再編成された情報ファイルを示している。この場合には、図１１（Ｃ）に示すように内容属性に「ホームラン」が含まれている区間、すなわち区間２が抽出されて、新たな情報ファイルに加えられる。
【００８２】
なお、図１１においては、一の情報ファイルから情報ファイルを再編成する例について示したが、実際には、複数の情報ファイルを抽出元として、新たな情報ファイルを編成する。
【００８３】
図１２は、実施の形態にかかる情報編集装置５のハードウェア構成を示す図である。情報編集装置５は、図２および図５を参照しつつ説明した、情報編集部３５の情報編集プログラムなどが格納されているＲＯＭ５２、ＲＯＭ５２内のプログラムに従って情報編集装置５の各部を制御し、情報編集処理等を実行するＣＰＵ５１、ワークエリアが形成され、情報編集装置５の制御に必要な種々のデータが記憶されているＲＡＭ５３、ネットワークに接続して、通信を行う通信Ｉ／Ｆ５７、および各部を接続するバス６２を備えている。
【００８４】
先に述べた情報編集装置５における情報編集処理を実行する情報編集プログラムは、インストール可能な形式又は実行可能な形式のファイルでＣＤ−ＲＯＭ、フロッピー（Ｒ）ディスク（ＦＤ）、ＤＶＤ等のコンピュータで読み取り可能な記録媒体に記録されて提供される。
【００８５】
また、本実施形態の情報編集プログラムを、インターネット等のネットワークに接続されたコンピュータ上に格納し、ネットワーク経由でダウンロードさせることにより提供するように構成しても良い。
【００８６】
この場合には、情報編集プログラムは、情報編集装置５において上記記録媒体から読み出して実行することにより主記憶装置上にロードされ、上記ソフトウェア構成で説明した各部が主記憶装置上に生成されるようになっている。
【００８７】
また、再生装置２のハードウェア構成は、図１３を参照しつつ説明した情報編集装置５のハードウェア構成と同様であるので、説明を省略する。
【００８８】
以上、実施の形態にかかる情報編集システム１について説明したが、上記実施の形態に多様な変更または改良を加えることができる。
【００８９】
そうした第１の変更例としては、本実施の形態においては、解説映像キャプチャ部４０は、ＤＶカメラ４において解説映像４８を撮影している時に、順次解説映像４８を取得したが、これにかえて、解説映像キャプチャ部４０は、ＤＶカメラ４が解説映像４８の撮影を終了した後に、解説映像４８を取得してもよい。
【００９０】
第２の変更例としては、本実施の形態においては、解説映像４８に表示画面３０が映像として含まれている場合、すなわち、スポーツ映像３１が含まれている場合について説明したが、解説映像４８には必ずしもスポーツ映像３１が含まれていなくてもよい。例えば、解説映像４８として、解説者が話している様子や、スポーツ映像３１に関連する映像を撮影してもよい。
【００９１】
第３の変更例としては、本実施の形態においては、スポーツ映像と、当該スポーツ映像の解説映像を対象としたが、これにかえて、スポーツ映像と、スポーツ映像の解説の解説音声データを対象としてもよい。この場合にも、本実施の形態において説明したのと同様に、イベント情報７００に基づいて、解説音声データの各区間をスポーツ映像の各区間に対応付ける。
【００９２】
第４の変更例としては、本実施の形態においては、スポーツ映像と、当該スポーツ映像の解説映像を対象としたが、これにかえて、映画やドラマと、映画やドラマの解説映像を対象としてもよい。このように、対象となる映像は、本実施の形態に限定されるものではない。
【００９３】
【発明の効果】
以上説明したように、請求項１にかかる発明によれば、編集者から受け付けた指示に基づいて生成されたイベント情報に基づいて、付帯デジタルデータの所定の区間を、編集対象デジタルデータの所定の区間に対応付けることができるので、編集者からの指示に基づいて適切な両データの適切な区間同士を対応付けることができる。また、イベント情報に基づいて自動的に編集対象デジタルデータを編集することができるので、処理効率を向上させることができるという効果を奏する。
【００９４】
また、請求項２にかかる発明によれば、日時記録手段は、編集対象デジタルデータを再生している日時を、当該編集対象デジタルデータに対応付けて記録しているので、当該日時と、イベント情報に含まれる日時に基づいて編集対象デジタルデータと付帯デジタルデータとを同期させることができるので、適切な編集を行うことができるという効果を奏する。
【００９５】
また、請求項３にかかる発明によれば、イベント情報生成手段は、内容属性を含むイベント情報を生成するので、再編成手段は、この内容属性に基づいて、編集後の編集対象デジタルデータを、再編成することにより新たなデジタルデータを生成することができる。これにより、各利用者に適した情報のみを含むデジタルデータを利用者に提供することができるという効果を奏する。
【００９６】
また、請求項４にかかる発明によれば、再編成手段は、複数のデジタルデータに含まれるデータを再編成して新たなデジタルデータを生成することができるという効果を奏する。
【００９７】
また、請求項５にかかる発明によれば、編集者から受け付けた指示に基づいて生成されたイベント情報に基づいて、付帯デジタルデータの所定の区間を、編集対象デジタルデータの所定の区間に対応付けることができるので、編集者からの指示に基づいて適切な両データの適切な区間同士を対応付けることができる。また、イベント情報に基づいて自動的に編集対象デジタルデータを編集することができるので、処理効率を向上させることができるという効果を奏する。
【００９８】
また、請求項６にかかる発明によれば、編集者から受け付けた指示に基づいて生成されたイベント情報に基づいて、付帯デジタルデータの所定の区間を、編集対象デジタルデータの所定の区間に対応付けることができるので、編集者からの指示に基づいて適切な両データの適切な区間同士を対応付けることができるという効果を奏する。また、イベント情報に基づいて自動的に編集対象デジタルデータを編集することができるので、処理効率を向上させることができるという効果を奏する。
【００９９】
また、請求項７にかかる発明によれば、編集者から受け付けた指示に基づいて生成されたイベント情報に基づいて、付帯デジタルデータの所定の区間を、編集対象デジタルデータの所定の区間に対応付けることができるので、編集者からの指示に基づいて適切な両データの適切な区間同士を対応付けることができるという効果を奏する。また、イベント情報に基づいて自動的に編集対象デジタルデータを編集することができるので、処理効率を向上させることができるという効果を奏する。
【０１００】
また、請求項８にかかる発明によれば、編集者から受け付けた指示に基づいて生成されたイベント情報に基づいて、付帯デジタルデータの所定の区間を、編集対象デジタルデータの所定の区間に対応付けることができるので、編集者からの指示に基づいて適切な両データの適切な区間同士を対応付けることができるという効果を奏する。また、イベント情報に基づいて自動的に編集対象デジタルデータを編集することができるので、処理効率を向上させることができるという効果を奏する。
【０１０１】
また、請求項９にかかる発明によれば、編集者から受け付けた指示に基づいて生成されたイベント情報に基づいて、付帯デジタルデータの所定の区間を、編集対象デジタルデータの所定の区間に対応付けることができるので、編集者からの指示に基づいて適切な両データの適切な区間同士を対応付けることができるという効果を奏する。また、イベント情報に基づいて自動的に編集対象デジタルデータを編集することができるので、処理効率を向上させることができるという効果を奏する。
【図面の簡単な説明】
【図１】情報編集システム１の全体構成を示す図である。
【図２】情報編集装置５の情報編集部３５と、再生装置２のイベント処理部３２の機能構成を示すブロック図である。
【図３】スポーツ映像３１および解説映像４８を模式的に示す図である。
【図４】イベント情報リスト３４０のデータ構成を模式的に示す図である。
【図５】情報ファイル生成部４３の詳細な機能構成を示す機能ブロック図である。
【図６】情報編集システム１が情報ファイルを作成するときの情報編集処理を示すフローチャートである。
【図７】図６で説明したステップＳ１１４における情報ファイル生成部４３の詳細な処理について説明する図である。
【図８】編集後のスポーツ映像３１および編集後の解説映像４８を示す図である。
【図９】出力部５０から出力された情報ファイルを示す図である。
【図１０】情報編集システム１が情報ファイルを再編成する処理を示すフローチャートである。
【図１１】編成前後の情報ファイルを模式的に示す図である。
【図１２】情報編集装置５のハードウェア構成を示す図である。
【符号の説明】
１  情報編集システム
２  再生装置
４  ＤＶカメラ
５  情報編集装置
１５  マウス
２１  キーボード
３０  表示画面
３２  イベント処理部
３３  イベントキャプチャ部
３４  イベント記録部
３５  情報編集部
３６  受信部
３７  イベント情報制御部
３８  イベント記録部
３９  撮影機器制御部
４０  解説映像キャプチャ部
４１  解説映像管理部
４２  イベント解釈部
４３  情報ファイル生成部
４４  送信部
５０  出力部
５２  スポーツ映像キャプチャ部
５４  指示受付部
５６  出力部
６２  バス
３４０  イベント情報リスト
４３０    区間決定部
４３１    対応付部
４３２    情報ファイル保持部
４３３    情報ファイル再編成部
４３５    目次項目取得部
５００    表示部
【図１】
2004236237.tif 000003
【図２】
2004236237.tif 000004
【図３】
2004236237.tif 000005
【図４】
2004236237.tif 000006
【図５】
2004236237.tif 000007
【図６】
2004236237.tif 000008
【図７】
2004236237.tif 000009
【図８】
2004236237.tif 000010
【図９】
2004236237.tif 000011
【図１０】
2004236237.tif 000012
【図１１】
2004236237.tif 000013
【図１２】
2004236237.tif 000014